(57)【要約】【課題】鏡に映るお客が希望のカラーリングイメージを明確に持て、カラーの仕上がりを様々なシチュエーションにおいても確認できる光源付ミラーを提供する。【解決手段】光源付ミラー１０において、それぞれに鏡１１を備えた折りたたみ可能な枠体１２と、枠体１２に設けられ異なる色に発光する少なくとも二つのチップを備えてなる複数のＬＥＤ２２と、枠体１２に設けられる色温度感知センサー３７と、枠体１２に設けられ少なくとも昼間、夜間、室内の複数のシーン別切替接点２５を有するシーン切替スイッチ２４と、枠体１２に収容され色温度感知センサー３７の検出値に基づきシーン切替スイッチ２４による切替シーンに応じてＬＥＤ２２を調色する制御部３２と、を設けた。【選択図】図１
2012148029.tif 000002
【特許請求の範囲】
【請求項１】
それぞれに鏡を備えた折りたたみ可能な枠体と、
前記枠体に設けられ異なる色に発光する少なくとも二つのチップを備えてなる複数のＬＥＤと、
前記枠体に設けられる色温度感知センサーと、
前記枠体に設けられ少なくとも昼間、夜間、室内の複数のシーン別切替接点を有するシーン切替スイッチと、
前記枠体に収容され前記色温度感知センサーの検出値に基づき前記シーン切替スイッチによる切替シーンに応じて前記ＬＥＤを調色する制御部と、を具備する光源付ミラー。
【請求項２】
請求項１に記載の光源付ミラーにおいて、
前記枠体の折りたたみ動作により作動して前記ＬＥＤを消灯するリミットスイッチが前記枠体に設けられた光源付ミラー。
【請求項３】
請求項２に記載の光源付ミラーにおいて、
前記枠体を開くことにより作動する前記リミットスイッチの枠体開信号が前記制御部に検出され、
前記枠体開信号を検出した前記制御部が、前記色温度感知センサーから周囲環境の色温度を検出し、前記周囲環境の色温度に応じて、前記切替シーンの色温度が再現されるよう前記ＬＥＤを調色制御する光源付ミラー。
【発明の詳細な説明】
【技術分野】
【０００１】
本発明は、調光調色機能を有する光源付ミラーに関し、例えば美容室等におけるカラーリング時に用いて好適なものである。
【背景技術】
【０００２】
従来より、鏡に映し出される顔等の写し映えを良好にするため、照明付き鏡装置が知られている（特許文献１等参照）。例えば化粧品陳列ケースは、単に商品を展示するだけでなく、お客が求めたい商品を実際に取出して試用できるようにするため、お客の顔を映し出す鏡を備えている。お客は手に取った当該商品を顔につけて鏡をのぞき込むことにより、当該商品による美容効果等を確認できる。一方、化粧品陳列ケースの上部には商品を照らす照明が備わっている。このような照明下で商品を試用した顔を鏡に映したのでは、その照明により、お客の顔に無用な陰または影が生じて顔が隈取され、当該商品による美容効果が十分に確認できない。
【０００３】
そこで、特許文献１に開示の照明付き鏡装置は、鏡本体の全周囲から、光透過体を通じて光が散乱状態で出射し、顔全体が照し出されるようになされている。これにより、外光による顔の陰や、影を相殺するため顔に無用な隈取が生ずることを防止し、写し映えを向上でき、化粧品の色彩をそのままの状態で再現できるようにしている。
【先行技術文献】
【特許文献】
【０００４】
【特許文献１】特開２００７−３３０６８５号公報（請求項１、図７、段落００１４）
【発明の概要】
【発明が解決しようとする課題】
【０００５】
しかしながら、外光による顔の陰や、影を相殺する効果は有するが、外光による色味の影響を排除できない問題がある。例えば美容室においては従来の照明付き鏡装置と同様にあかり取りとして白熱灯の仕込まれた光源付ミラーが使用されている。美容室において、このような光源付ミラーを使用してカラーリングが行われると、カラーリング終了後に鏡に映し出される色彩が白熱灯の照明光に影響され、実際の陽の光に当たった場合と異なる透明感のない色味で映し出されることがある。この場合、美容師からその旨の説明を受けても、お客は色味をイメージすることが困難となる。近い色味のカラーをサンプルや雑誌で探してお客と仕上がりイメージを共有する場合もあるが、実際の色味とは隔たりがあった。また、カラーリング終了後に、仕上がりの色を、陽の光、室内空間、パーティー空間等のシチュエーション別で確認したい要望もあった。
【０００６】
本発明は上記状況に鑑みてなされたもので、その目的は、鏡に映るお客が希望のカラーリングイメージを明確に持て、カラーの仕上がりを様々なシチュエーションにおいても確認できる光源付ミラーを提供することにある。
【課題を解決するための手段】
【０００７】
本発明の光源付ミラーは、それぞれに鏡を備えた折りたたみ可能な枠体と、前記枠体に設けられ異なる色に発光する少なくとも二つのチップを備えてなる複数のＬＥＤと、前記枠体に設けられる色温度感知センサーと、前記枠体に設けられ少なくとも昼間、夜間、室内の複数のシーン別切替接点を有するシーン切替スイッチと、前記枠体に収容され前記色温度感知センサーの検出値に基づき前記シーン切替スイッチによる切替シーンに応じて前記ＬＥＤを調色する制御部と、を具備するものである。
【０００８】
そして、本発明の光源付ミラーは、前記枠体の折りたたみ動作により作動して前記ＬＥＤを消灯するリミットスイッチが前記枠体に設けられたものである。
【０００９】
また、本発明の光源付ミラーは、前記枠体を開くことにより作動する前記リミットスイッチの枠体開信号が前記制御部に検出され、前記枠体開信号を検出した前記制御部が、前記色温度感知センサーから周囲環境の色温度を検出し、前記周囲環境の色温度に応じて、前記切替シーンの色温度が再現されるよう前記ＬＥＤを調色制御するものである。
【発明の効果】
【００１０】
本発明に係る光源付ミラーによれば、鏡に映るお客が希望のカラーリングイメージを明確に持て、カラーの仕上がりを様々なシチュエーションにおいても確認できる。
【図面の簡単な説明】
【００１１】
【図１】本発明に係る光源付ミラーの枠体が開かれた場合の外観斜視図
【図２】図１に示した光源付ミラーの平面図
【図３】図１に示した光源付ミラーの把手の形成された変形例の斜視図
【図４】図１に示した光源付ミラーの各機能部分を表すブロック図
【発明を実施するための形態】
【００１２】
以下、本発明の実施形態について、図面を用いて説明する。
図１は本発明に係る光源付ミラーの枠体が開かれた場合の外観斜視図、図２は図１に示した光源付ミラーの平面図、図３は図１に示した光源付ミラーの把手の形成された変形例の斜視図である。
光源付ミラー１０は、それぞれに鏡１１を備えた折りたたみ可能な枠体１２である第一枠体１３と、第二枠体１４と、を有する。第一枠体１３と第二枠体１４は、略同一の四角形に形成され、一辺部分同士が回転軸１５によって回転自在に連結されることで折りたたみ自在となる。第一枠体１３と第二枠体１４とは、内部空間を有するひらたい箱状に形成され、内部空間は後述する制御部等の収容部１６となっている。
【００１３】
本実施形態では、回転軸１５を例示するが、折りたたみ構造は、この他、蝶番や可撓性を有する樹脂薄板等を用いたヒンジとしてもよい。鏡１１は、第一枠体１３と第二枠体１４との合わせ面側に設けられている。合わせ面側に鏡１１の設けられた枠体１２は、人一人によって容易に持ち運びできる大きさおよび重量で形成される。
【００１４】
また、図１に示すように、第一枠体１３と第二枠体１４とが略同一の厚みで形成されるが、この他、枠体１２は、図３に示す変形例に係る枠体１７のように、第一枠体１８を薄厚に形成し、第二枠体１９のみに収容部１６が形成されるようにしてもよい。さらに、枠体１２には図３に示すような持ち運びを容易にする把手部２０を形成してもよい。
【００１５】
第一枠体１３と第二枠体１４とには、鏡１１と平行な枠表面２１に、複数のＬＥＤ２２が設けられている。ＬＥＤ２２は、第一枠体１３と第二枠体１４の各辺に沿って所定間隔で配置される。つまり、鏡１１を包囲するように設けられている。これにより、陰影が明確になるように照らすことができ、良好な照明効果を得ることができる。ＬＥＤ２２は、枠体１２が折りたたまれた際に対向するＬＥＤ２２や対面する枠表面２１と干渉しないよう、図２に示すように、枠表面２１に埋入されて設けられている。
なお、回転軸１５によって連結される枠体１２の一辺部分同士は、それぞれにＬＥＤ２２を設けると照射光が強くなりすぎるため、図例のように、例えば第二枠体側のＬＥＤ２２が省略されてもよい。
【００１６】
第一枠体１３の枠上面２３にはシーン切替スイッチ２４が設けられ、シーン切替スイッチ２４は複数のシーン別切替接点２５を有している。シーン別切替接点２５は、例えば太陽光下のシーンを再現する第一ボタン２６と、室内空間のシーンを再現する第二ボタン２７と、パーティー空間のシーンを再現する第三ボタン２８と、電源オフの第四ボタン２９と、からなる。シーン切替スイッチ２４は、図例のように複数のボタンを設ける他、回転位置によってシーン別切替接点２５が開閉される不図示のロータリー式スイッチとしてもよい。
【００１７】
図２に示すように、第一枠体１３の内部空間には調光回路３０、調色回路３１を有した制御部３２と、電源回路３３と、が収容される。第二枠体１４には充電口３４と、電池３５と、照度感知センサー３６と、色温度感知センサー３７と、リミットスイッチ３８と、が設けられる。
なお、これら制御部３２、充電口３４、電池３５、照度感知センサー３６、色温度感知センサー３７、リミットスイッチ３８の配設位置は一例であり、任意の枠体側に収容できるものである。
【００１８】
図４は図１に示した光源付ミラー１０の各機能部分を表すブロック図である。
充電口３４は、電源回路３３に接続される。電源回路３３には、リミットスイッチ３８と、電池３５と、制御部３２と、が接続される。電源回路３３は、充電口３４に商用電源が接続されると、低周波交流を全波整流器および平滑コンデンサにより平滑化された直流に変換し、さらに不図示の高周波インバータによって直流を高周波に変換することで、ＬＥＤ２２を高周波で駆動可能とする。また、電源回路３３は、充電口３４に商用電源が接続されると、電池３５への充電も行う。電源回路３３は、充電口３４に商用電源が接続されない状態では電池３５から制御部３２へ電源供給を行う。
【００１９】
リミットスイッチ３８は、枠体１２の折りたたみ動作により作動してＬＥＤ２２を消灯する。枠体１２が折りたたまれると、リミットスイッチ３８が作動され、制御部３２、ＬＥＤ２２への電源供給が遮断されて、ＬＥＤ２２が自動で消灯される。
【００２０】
ＬＥＤ２２は、枠体１２に設けられ異なる色に発光する少なくとも二つのチップ３９を備えてなる。本実施形態ではＲ色ＬＥＤチップ４０と、Ｇ色ＬＥＤチップ４１と、Ｂ色ＬＥＤチップ４２の３色のＬＥＤチップを備える。それぞれのＬＥＤ２２は、これらＲ色ＬＥＤチップ４０、Ｇ色ＬＥＤチップ４１、Ｂ色ＬＥＤチップ４２が制御部３２の調色回路３１によって個別に駆動制御され、色温の調整、すなわち、調色が可能となっている。
なお、ここで調色とは、互いに発光色が異なる複数種類の光の混色で１種類の発光色を得るに際し、複数種類の色の光を切り換えて出射することを言う。
【００２１】
また、図示は省略するが、ＬＥＤ２２による調色は、蛍光体等の色変換手段を用いることで単色のチップ３９を用いても実現する。この場合、例えば第１の色変換領域に対応するチップ３９のみから青色光を放射させることで第１の色変換領域から白色光を出射させる。第２の色変換領域に対応する他のチップ３９のみから青色光を放射させることで第２の色変換領域から外部に向けて電球色の光を出射させる。さらに２つのチップ３９から青色光を放射させることで第１の色変換領域および第２の色変換領域から外部に向けて白色と電球色の中間の色の光を出射させることができる。これにより、複数種類の色の光を切り換えて出射する調色が可能となる。
【００２２】
制御部３２は、色温度感知センサー３７の検出値に基づきシーン切替スイッチ２４による切替シーンに応じてＬＥＤ２２を調色する。また、この際、制御部３２は、照度感知センサー３６の検出値も同時に参照させるようにすることが好ましい。光源付ミラー１０は、照度感知センサー３６を設けることで、検出した周囲環境の明るさに応じて、制御部３２がＬＥＤ２２の調光制御を自動的で行うように構成できる。
【００２３】
制御部３２は、枠体１２を開くことにより作動するリミットスイッチ３８の枠体開信号を検出すると、色温度感知センサー３７から周囲環境の色温度を検出し、周囲環境の色温度に応じて、切替シーンの色温度が再現されるようＬＥＤ２２を調色制御する。
【００２４】
次に、このように構成される光源付ミラー１０の作用を説明する。
光源付ミラー１０では、制御部３２が駆動されると、調光回路３０により外光の照度が検出され、色温度感知センサー３７により外光の色温度が検出される。制御部３２は、シーン切替スイッチ２４の閉じられているシーン別切替接点２５から要望の切替シーンを判定し、当切替シーンに応じた照度および色温度を設定する。
【００２５】
制御部３２は、検出した外光の照度と色温度を参照しながら、要望の切替シーンに応じた照度および色温度となるように、調光回路３０、調色回路３１にてＬＥＤ２２の各チップ３９の駆動制御を行う。これにより、外光による色味の影響がキャンセルされた実際の色味が鏡１１に映し出されることになる。また、シーン切替スイッチ２４が切り替えられるだけで、各切替シーン（陽の光、室内空間、パーティー空間等）における実際の色味が鏡１１に映し出されることになる。
【００２６】
リミットスイッチ３８は、枠体１２の折りたたみ動作により作動してＬＥＤ２２を消灯する。枠体１２が折りたたまれると、リミットスイッチ３８が作動され、制御部３２、ＬＥＤ２２への電源供給が遮断されて、ＬＥＤ２２が自動で消灯される。これにより、シーン切替スイッチ２４におけるシーン別切替接点２５の開閉状態を保持することが可能になることから、次回使用時には、前回使用終了時の切替シーンで駆動を開始させることが可能となる。
【００２７】
また、消灯状態から枠体１２が開かれると、リミットスイッチ３８が作動し、制御部３２およびＬＥＤ２２に電源が供給されて駆動が開始される。この際、制御部３２が駆動の開始と同時に、色温度感知センサー３７によって周囲環境の色温度を検出し、検出した色温度を参照しながら、設定の切替シーンに応じた色温度となるように、ＬＥＤ２２の各チップ３９の駆動制御を行う。つまり、枠体１２が開かれると同時に、周囲環境の色温度とＬＥＤ２２の色温度とによって、各切替シーンの色温度が自動で再現されることになる。
【００２８】
このような作用を奏することで、光源付ミラー１０は、美容師の提案サポートツールとなり得る。お客の手、美容師の手を煩わすことなく、今までの業務フローの中で容易に、かつ、的確なカラーリングが行えるようになる。また、光源にＬＥＤ２２が使用されることで、軽量・薄型化を実現でき、持ち運びを容易に行うことが可能となる。
【００２９】
従って、本実施形態に係る光源付ミラー１０によれば、鏡１１に映るお客が希望のカラーリングイメージを明確に持て、カラーの仕上がりを様々なシチュエーションにおいても確認できる。
【符号の説明】
【００３０】
１０  光源付ミラー
１１  鏡
１２  枠体
２２  ＬＥＤ
２４  シーン切替スイッチ
２５  シーン別切替接点
３２  制御部
３７  色温度感知センサー
３８  リミットスイッチ
３９  チップ
【図１】
2012148029.tif 000003
【図２】
2012148029.tif 000004
【図３】
2012148029.tif 000005
【図４】
2012148029.tif 000006